(57)【要約】【課題】ユーザに対して実際に広帯域を使用したい瞬間だけ短時間の専用線サービスを実現可能な短期専用線サービス提供システムを提供する。【解決手段】ユーザ装置２１はユーザ装置３１とＦＴＰセッションを開くためのコマンドパケットに認証情報を付加して送出する。エッジノード１１はそのパケットのオプションヘッダに専用線サービスのユーザ認証情報が含まれていると、認証サーバ４に認証要求を送出する。認証サーバ４は暗号化された認証情報を解読し、認証結果をエッジノード１１に返送する。エッジノード１１はパケットが正当なユーザからのものであり、ＦＴＰセッション開設用のコマンドであることを検知すると、パス設定サーバ５に専用線開設要求を送出する。パス設定サーバ５はプロバイダネットワーク１の構成情報等を基に専用線開設要求のためのパスを計算し、プロバイダネットワーク１に専用線を設定する。【選択図】      図１
2004228817.tif 000002
【特許請求の範囲】
【請求項１】
プロバイダネットワークのリソースの少なくとも一部を占有的に利用してユーザ端末間を結ぶ専用線サービスを提供する専用線サービス提供システムであって、
ファイル転送を行う際に前記ファイル転送のセッション開設パケットに専用線サービスユーザの認証情報を付加して送出する手段を含む前記ユーザ端末と、
前記プロバイダネットワーク内に設けられかつ前記認証情報を基に前記専用線サービスユーザと判断した時に前記ユーザ端末間を結ぶ専用線を開設するエッジルータとを有することを特徴とする専用線サービス提供システム。
【請求項２】
前記ユーザ端末は、前記ファイル転送を終了する際に前記ファイル転送のセッション解放パケットに前記認証情報を付加して送出する手段を含み、
前記エッジルータは、前記認証情報を基に前記専用線サービスユーザと判断した時に前記専用線を解放することを特徴とする請求項１記載の専用線サービス提供システム。
【請求項３】
前記エッジルータは、前記ユーザ端末からのパケットに前記認証情報が付加されている時に当該認証情報を基に認証を行う認証サーバに問い合わせることを特徴とする請求項１または請求項２記載の専用線サービス提供システム。
【請求項４】
前記認証情報は、ユーザとプロバイダとがサービス契約を結ぶ時に交換される暗号鍵で暗号化され、
前記認証サーバは、前記暗号鍵に対応する復号鍵で前記認証情報を復号することを特徴とする請求項３記載の専用線サービス提供システム。
【請求項５】
前記エッジルータは、前記専用線を開設／解放する時に前記専用線を設定するパス設定サーバに対して専用線設定要求を行うことを特徴とする請求項１から請求項４のいずれか記載の専用線サービス提供システム。
【請求項６】
前記エッジルータは、前記専用線を開設／解放する時に前記パス設定サーバに前記専用線の経路計算を要求し、その計算結果を基にシグナリングを発行して前記専用線を設定することを特徴とする請求項５記載の専用線サービス提供システム。
【請求項７】
前記パス設定サーバは、ユーザに対して課金を行う課金サーバに、前記専用線の開設／解放を通知し、
前記課金サーバは、前記専用線の開設／解放の時刻を記録しかつその記録情報を基に前記課金を行うことを特徴とする請求項１から請求項６のいずれか記載の専用線サービス提供システム。
【請求項８】
前記ユーザ端末間を結ぶ専用線サービスを、複数のプロバイダネットワーク各々のリソースの少なくとも一部をそれぞれ占有的に利用して提供する際に、前記認証情報を前記複数のプロバイダネットワーク各々固有の暗号鍵で暗号化し、前記複数のプロバイダネットワーク各々に対応する前記認証サーバが当該プロバイダネットワーク固有の暗号鍵に対応する復号鍵で前記認証情報を復号することを特徴とする請求項１から請求項７のいずれか記載の専用線サービス提供システム。
【請求項９】
プロバイダネットワークのリソースの少なくとも一部を占有的に利用してユーザ端末間を結ぶ専用線サービスを提供する専用線サービス提供方法であって、
前記ユーザ端末が、ファイル転送を行う際に前記ファイル転送のセッション開設パケットに専用線サービスユーザの認証情報を付加して送出し、
前記プロバイダネットワーク内に設けられたエッジルータが、前記認証情報を基に前記専用線サービスユーザと判断した時に前記ユーザ端末間を結ぶ専用線を開設することを特徴とする専用線サービス提供方法。
【請求項１０】
前記ユーザ端末は、前記ファイル転送を終了する際に前記ファイル転送のセッション解放パケットに前記認証情報を付加して送出し、
前記エッジルータは、前記認証情報を基に前記専用線サービスユーザと判断した時に前記専用線を解放することを特徴とする請求項９記載の専用線サービス提供方法。
【請求項１１】
前記エッジルータは、前記ユーザ端末からのパケットに前記認証情報が付加されている時に当該認証情報を基に認証を行う認証サーバに問い合わせることを特徴とする請求項９または請求項１０記載の専用線サービス提供方法。
【請求項１２】
前記認証情報は、ユーザとプロバイダとがサービス契約を結ぶ時に交換される暗号鍵で暗号化され、
前記認証サーバは、前記暗号鍵に対応する復号鍵で前記認証情報を復号することを特徴とする請求項１１記載の専用線サービス提供方法。
【請求項１３】
前記エッジルータは、前記専用線を開設／解放する時に前記専用線を設定するパス設定サーバに対して専用線設定要求を行うことを特徴とする請求項９から請求項１２のいずれか記載の専用線サービス提供方法。
【請求項１４】
前記エッジルータは、前記専用線を開設／解放する時に前記パス設定サーバに前記専用線の経路計算を要求し、その計算結果を基にシグナリングを発行して前記専用線を設定することを特徴とする請求項１３記載の専用線サービス提供方法。
【請求項１５】
前記パス設定サーバは、ユーザに対して課金を行う課金サーバに、前記専用線の開設／解放を通知し、
前記課金サーバは、前記専用線の開設／解放の時刻を記録しかつその記録情報を基に前記課金を行うことを特徴とする請求項９から請求項１４のいずれか記載の専用線サービス提供方法。
【請求項１６】
前記ユーザ端末間を結ぶ専用線サービスを、複数のプロバイダネットワーク各々のリソースの少なくとも一部をそれぞれ占有的に利用して提供する際に、前記認証情報を前記複数のプロバイダネットワーク各々固有の暗号鍵で暗号化し、前記複数のプロバイダネットワーク各々に対応する前記認証サーバが当該プロバイダネットワーク固有の暗号鍵に対応する復号鍵で前記認証情報を復号することを特徴とする請求項９から請求項１５のいずれか記載の専用線サービス提供方法。
【発明の詳細な説明】
【０００１】
【発明の属する技術分野】
本発明は専用線サービス提供システム及びそれに用いる専用線サービス方法に関し、特にユーザの拠点間を結ぶ専用線サービスに関する。
【０００２】
【従来の技術】
現在、この種の専用線サービスでは、プロバイダのネットワークのリソース（帯域、回線等）の一部を占有的に利用してユーザの拠点間を結ぶサービスが一般的となっている。
【０００３】
また、最近では、上記のような専用線を極短時間だけ借りたいという要求が現れてきている。このような例としては、データセンタが夜中に大量のデータをバックアップサイトに転送する場合や、映画配給会社が映画公開日前日に各地の映画館に映画データを電子ファイルとして配給する場合等が挙げられる。このような例では専用線のリソースとしては非常に大きな帯域を必要とするが、その使用時間は数分から数時間と非常に短い。
【０００４】
これまで、専用線の提供方法としては、図９に示すような方式が一般的である。図９において、ユーザ端末７はプロバイダ８を介してサービス契約１５１を結び、人手で管理システム（認証・パス設定・課金）９を操作してプロバイダネットワーク４０内に専用線１５５，１５６の開設／解放を行っている。このため、専用線１５５，１５６の開設／解放の要求から実行までタイムラグが生じ、上記のような短期間の専用線サービスを実現することが不可能である。
【０００５】
この短期間の専用線サービスを実現する方法としては、ユーザ端末７とプロバイダ８との間をオンラインで接続してサービス契約１５１を結ぶ方法が提案されており（例えば、特許文献１参照）、この方法によって、プロバイダネットワーク４０内の専用線１５５，１５６の変更をタイムラグを生じることなく行うことができる。
【０００６】
【特許文献】
特開２０００−０６９０３９号公報
【０００７】
【発明が解決しようとする課題】
しかしながら、上述した従来のサービス方法では、ユーザがオンラインで専用線設定を行ってから、実際にファイル転送を実行するまでの間に相変わらずタイムラグが残る。専用線の使用料金が使用時間に基づいて決められている現状、ユーザにとっては専用線を借りている時間は極力短い方がよく、ファイル転送を行っている瞬間のみであるのが望ましい。
【０００８】
また、プロバイダにとっても、このような大容量のネットワークリソースは貴重なものである。短期間の専用線サービスを実現することができれば、単位時間のリソース単価を大きくしても、１ユーザが借りる時間が短いので、ユーザにも経済的に得となるので利用者が増え、１ユーザあたりの使用時間が短い分、多くのユーザに時分割的に貸すことができ、リソースを有効に活用することができる。
【０００９】
一方、ＩＰ（Ｉｎｔｅｒｎｅｔ  Ｐｒｏｔｏｃｏｌ）ネットワークでは、パス設定プロトコルとしてＲＳＶＰ（ＲｅＳｅｒＶａｔｉｏｎ  Ｐｒｏｔｏｃｏｌ）［ＩＥＴＦ（Ｉｎｔｅｒｎｅｔ  Ｅｎｇｉｎｅｅｒｉｎｇ  Ｔａｓｋ  Ｆｏｒｃｅ）  ＲＦＣ（Ｒｅｑｕｅｓｔ  Ｆｏｒ  Ｃｏｍｍｅｎｔｓ）２２０５］がある。
【００１０】
しかしながら、ＲＳＶＰは、図１０に示すように、シグナリングメッセージ１６１〜１６４が各ノード４１〜４３で自律分散的に転送され、パスが設定されるので、管理者がユーザ認証、パスを制御／管理を行うことができない。このため、エンド−エンドのユーザ（５１，６１）がＲＳＶＰをそのまま使用し、それを基にプロバイダネットワーク４０が専用線を開設して課金を行うことが難しい。
【００１１】
そこで、本発明の目的は上記の問題点を解消し、ユーザに対して実際に広帯域を使用したい瞬間だけ短時間の専用線サービスを実現することができる専用線サービス提供システム及びそれに用いる専用線サービス方法を提供することにある。
【００１２】
【課題を解決するための手段】
本発明による専用線サービス提供システムは、プロバイダネットワークのリソースの少なくとも一部を占有的に利用してユーザ端末間を結ぶ専用線サービスを提供する専用線サービス提供システムであって、
ファイル転送を行う際に前記ファイル転送のセッション開設パケットに専用線サービスユーザの認証情報を付加して送出する手段を含む前記ユーザ端末と、
前記プロバイダネットワーク内に設けられかつ前記認証情報を基に前記専用線サービスユーザと判断した時に前記ユーザ端末間を結ぶ専用線を開設するエッジルータとを備えている。
【００１３】
本発明による専用線サービス方法は、プロバイダネットワークのリソースの少なくとも一部を占有的に利用してユーザ端末間を結ぶ専用線サービスを提供する専用線サービス提供方法であって、
前記ユーザ端末が、ファイル転送を行う際に前記ファイル転送のセッション開設パケットに専用線サービスユーザの認証情報を付加して送出し、
前記プロバイダネットワーク内に設けられたエッジルータが、前記認証情報を基に前記専用線サービスユーザと判断した時に前記ユーザ端末間を結ぶ専用線を開設している。
【００１４】
すなわち、本発明の専用線サービス提供システムは、サービスの契約ユーザがファイルを転送する際に、ファイル転送プロトコル（ＦＴＰ：Ｆｉｌｅ  Ｔｒａｎｓｆｅｒ  Ｐｒｏｔｏｃｏｌ）（ＩＥＴＦ  ＲＦＣ９５９）のセッション開設／解放用パケットに専用線サービスのユーザ認証用のデータを挿入し、ファイル転送を行う宛先のユーザ装置に転送する。
【００１５】
プロバイダネットワークのエッジノードではその認証データを検出し、ユーザの正当性を認証サーバに問い合わせ、サービスの正当なユーザであることを確認すると、パス設定サーバに専用線の開設／解放を要求する。パス設定サーバはそれを契機にユーザのために専用線を設定／解放する。
【００１６】
このように、本発明の専用線サービス提供システムは、サービスの契約ユーザがファイルを転送する際のファイル転送プロトコルのセッション開設／解放コマンドをプロバイダネットワークのエッジノードが検知し、それを契機としてプロバイダネットワーク内にユーザのための専用線を開設／解放することによって、ユーザに対して実際に広帯域を使用したい瞬間だけ専用線が提供されるので、経済的に専用線を借りることが可能となる。
【００１７】
また、本発明の専用線サービス提供システムでは、プロバイダも１ユーザあたりにネットワークリソースを貸す時間が最小限となるので、多くのユーザに対して効率的にネットワークリソースを専用線として貸し出すことが可能となる。
【００１８】
さらに、本発明の短期専用線サービス提供システムでは、ユーザが専用線を借りてファイル転送したい時だけセッション開設／解放メッセージに顧客認証用のデータを挿入するので、顧客認証データを挿入しなければ、専用線を借りないファイル転送を行うことも可能となる。
【００１９】
一方、本発明の専用線サービス提供システムでは、プロバイダも顧客認証データを基に専用線を提供するかどうかを判断するので、正当な契約ユーザであることを確認し、課金することが可能となる。
【００２０】
また、本発明の専用線サービス提供システムでは、専用線の設定をパス設定サーバが行うので、インタネットでデファクトスタンダードとなっているリソース予約プロトコル（ＲＳＶＰ：ＲｅＳｅｒＶａｔｉｏｎ  Ｐｒｏｔｏｃｏｌ）のようにネットワークノードが自律分散的にパスを設定するのではないので、プロバイダがパスを管理することが可能となり、それに基づいて正当な課金を行うことが可能となる。
【００２１】
【発明の実施の形態】
次に、本発明の実施例について図面を参照して説明する。図１は本発明の第１の実施例による専用線サービス提供システムの構成を示すブロック図である。図１において、本発明の第１の実施例による専用線サービス提供システムは、ユーザに専用線サービスを提供するプロバイダのプロバイダネットワーク１と、その専用線を使用して通信を行うユーザのユーザネットワーク２，３とから構成されている。
【００２２】
プロバイダネットワーク１はエッジノード１１，１２と、コアノード１３とから構成されており、プロバイダはこのプロバイダネットワーク１のほかに、認証サーバ４と、パス設定サーバ５と、課金サーバ６とを備えている。また、ユーザネットワーク２，３は、それぞれ実際に通信を行うユーザ装置２１，３１を備えている。
【００２３】
図２〜図４は本発明の第１の実施例による専用線サービス提供システムにおける専用線開設の動作を示すフローチャートである。これら図１〜図４を参照して本発明の第１の実施例による専用線サービス提供システムにおける専用線開設の動作について説明する。以下、ユーザ装置２１がユーザ装置３１とＦＴＰ（Ｆｉｌｅ  Ｔｒａｎｓｆｅｒ  Ｐｒｏｔｏｃｏｌ）（ＩＥＴＦ  ＲＦＣ９５９）セッションを開いてファイル転送を行う場合の動作について説明する。
【００２４】
ユーザ装置２１はユーザ装置３１とＦＴＰセッションを開くためのコマンドパケット１０１を送出する。ＦＴＰプロトコルではセッション開設にはＵＳＥＲ、ＰＡＳＳ等のコマンドを使用するが、本実施例ではこのパケット１０１のオプションヘッダ等に本専用線サービスのユーザを認証するための認証情報を入れている。この認証情報は盗聴を防ぐために暗号化されており、暗号鍵は前もってユーザがプロバイダとサービス契約を行う時に交換される。
【００２５】
エッジノード１１はパケット１０１を受信し（図２ステップＳ１）、そのオプションヘッダに専用線サービスのユーザ認証情報が含まれていることを検知すると（図２ステップＳ２）、認証サーバ４に認証要求１０２を送出する（図２ステップＳ３）。認証サーバ４は暗号化された認証情報を解読し（図２ステップＳ４）、認証結果１０３をエッジノード１１に返送する。
【００２６】
エッジノード１１はパケット１０１が正当なユーザからのものであり（図２ステップＳ５）、ＦＴＰセッション開設用のコマンドであることを検知すると（図２ステップＳ６）、パス設定サーバ５に専用線開設要求１０４を送出する（図３ステップＳ１２）。
【００２７】
パス設定サーバ５はプロバイダネットワーク１の構成情報や帯域等のリソース、現在の専用線の設定状況を管理しており、それらの情報を基に専用線開設要求１０４のためのパスを計算し、プロバイダネットワーク１に専用線１０７，１０８を設定する（図１の１０５，１０６）（図３ステップＳ１３）。
【００２８】
エッジノード１１，１２はパケット１０１と送信元、宛先が同じパケットを設定された専用線１０７，１０８で転送するように設定する（図３ステップＳ１４）。また、パス設定サーバ５はユーザのために専用線１０７，１０８を設定した旨の通知１０９を課金サーバ６に送出するので、課金サーバ６はユーザのために専用線１０７，１０８が設定されたこととその時刻とを記録する（図３ステップＳ１５）。
【００２９】
これ以降、ユーザ装置２１，３１間のファイル転送パケットはエッジノード１１，１２で識別され（図２ステップＳ８，Ｓ９）、専用線１０７，１０８を用いて転送される（図２ステップＳ１１）。
【００３０】
図５は本発明の第１の実施例による専用線サービス提供システムにおける専用線解放の動作を示す図である。これら図２〜図５を参照して本発明の第１の実施例による専用線サービス提供システムにおける専用線解放の動作について説明する。
【００３１】
ユーザ装置２１がＦＴＰセッション解放のためのＱＵＩＴコマンドのパケット１１１を転送すると、上述した専用線開設時と同様に、エッジノード１１はパケット１１１を受信し（図２ステップＳ１）、そのオプションヘッダに専用線サービスのユーザ認証情報が含まれていることを検知すると（図２ステップＳ２）、認証サーバ４に認証要求１１２を送出する（図２ステップＳ３）。認証サーバ４は暗号化された認証情報を解読し（図２ステップＳ４）、認証結果１１３をエッジノード１１に返送する。
【００３２】
エッジノード４はパケット１１１が正当なユーザからのものであり（図２ステップＳ５）、ＦＴＰ  Ｃｌｏｓｅメッセージであると判断すると（図２ステップ７）、パス設定サーバ５に専用線１１７，１１８の解放要求１１４を送出する（図４ステップＳ１６）。
【００３３】
パス設定サーバ５はユーザのために設定してあった専用線１１７，１１８を解放し（図１の１１５，１１６）（図４ステップＳ１７）、課金サーバ６に専用線１１７，１１８を解放した旨の通知１１９を送出するので、課金サーバ６はユーザの専用線１１７，１１８が解放されたこととその時刻とを記録し（図４ステップＳ１８）、専用線１１７，１１８が開設されてから解放されるまでの時間を基にユーザに対して課金を行う。
【００３４】
このように、本実施例では、サービスの契約ユーザがファイルを転送する際のファイル転送プロトコルのセッション開設／解放コマンドを、プロバイダネットワーク１のエッジノード１１，１２が検知し、それを契機としてプロバイダネットワーク１内にユーザのための専用線１０７，１０８，１１７，１１８を開設／解放することによって、ユーザに対して実際に広帯域を使用したい瞬間だけ専用線を提供することができるので、ユーザは経済的に専用線を借りることができる。
【００３５】
また、本実施例では、プロバイダも１ユーザあたりにネットワークリソースを貸す時間が最小限となるので、多くのユーザに対して効率的にネットワークリソースを専用線として貸し出すことができる。
【００３６】
さらに、本実施例では、ユーザが専用線を借りてファイル転送したい時だけセッション開設／解放メッセージに顧客認証用のデータを挿入するので、顧客認証データを挿入しなければ、専用線を借りないファイル転送を行うこともできる。
【００３７】
一方、本実施例では、プロバイダも顧客認証データを基に専用線を提供するかどうかを判断するので、正当な契約ユーザであることを確認し、課金することができる。
【００３８】
また、本実施例では、専用線の設定をパス設定サーバ５が行うので、インタネットでデファクトスタンダードとなっているリソース予約プロトコル（ＲＳＶＰ：ＲｅＳｅｒＶａｔｉｏｎ  Ｐｒｏｔｏｃｏｌ）のように、ネットワークノードが自律分散的にパスを設定するのではないので、プロバイダがパスを管理することができ、それに基づいて正当な課金を行うことができる。
【００３９】
図６は本発明の第２の実施例による専用線サービス提供システムの構成を示すブロック図である。図６において、本発明の第２の実施例による専用線サービス提供システムでは、パス設定サーバ５が専用線（図示せず）を設定する時、エッジノード１１にパス設定プロトコルであるＲＳＶＰのシグナリングメッセージ１２６を発行するように指示１２５を送出し、ＲＳＶＰシグナリングメッセージ１２６によってプロバイダネットワーク１内に専用線を設定する。
【００４０】
この時、パス設定サーバ５はＲＳＶＰシグナリングメッセージ１２６がパス設定サーバ５の計算した経路を通ってプロバイダネットワーク１内に専用線を設定するように、経路も指定する。
【００４１】
図７は本発明の第３の実施例による専用線サービス提供システムの構成を示すブロック図である。図７において、本発明の第３の実施例による専用線サービス提供システムでは、ユーザ装置２１がＦＴＰではなく、ＲＳＶＰシグナリングによってセッションを開こうとする。
【００４２】
この場合、本実施例では、上述した本発明の第１の実施例と同様に、ＲＳＶＰシグナリングメッセージ１３１のオプションヘッダ等に専用線サービスのユーザの認証情報が含まれており、これを基に認証を行い（図７の１３２，１３３）、正当なユーザであると判断した場合、エッジノード１１がパス設定サーバ５にパス設計要求１３４を送出する。
【００４３】
パス設定サーバ５は要求された専用線の経路を計算し、上述した本発明の第２の実施例と同様に、エッジノード１１にパス設定プロトコルであるＲＳＶＰのシグナリングメッセージ１３６を発行するように指示１３５を送出し、経路も指定する。
【００４４】
エッジノード１１は指定された経路通りに、ＲＳＶＰメッセージ１３６が転送されるように、ＲＳＶＰメッセージ１３６に経路情報（Ｅｘｐｌｉｃｉｔ  Ｒｏｕｔｅ  Ｏｂｊｅｃｔ）を挿入して転送する。
【００４５】
図８は本発明の第４の実施例による専用線サービス提供システムの構成を示すブロック図である。図８において、本発明の第４の実施例による専用線サービス提供システムでは、説明の簡略化のために、プロバイダネットワーク１のコアノードと出口側のエッジノードとを省略してある。
【００４６】
図８には、ユーザが二つのプロバイダＡ，Ｂとサービスを契約し、プロバイダＡネットワーク１ａとプロバイダＢネットワーク１ｂとに専用線１４７ａ，１４７ｂを設定する場合の構成を示している。
【００４７】
この場合、ＦＴＰセッションオープンパケット１４１ａには、プロバイダＡネットワーク１ａに専用線１４７ａを設定要求するための認証情報Ａと、プロバイダＢネットワーク１ｂに専用線１４７ｂを設定要求するための認証情報Ｂとが含まれており、それぞれのプロバイダネットワーク１ａ，１ｂのエッジノード１１ａ，１１ｂがそれぞれの認証情報Ａ，Ｂで認証を行う。
【００４８】
また、それぞれの認証情報Ａ，ＢはそれぞれのプロバイダＡ，Ｂと契約した時に交換されるそれぞれ別の暗号鍵で暗号化されており、認証サーバ５ａ，５ｂは別のプロバイダのための認証情報を復号することはできない。
【００４９】
【発明の効果】
以上説明したように本発明は、プロバイダネットワークのリソースの少なくとも一部を占有的に利用してユーザ端末間を結ぶ専用線サービスを提供する専用線サービス提供システムにおいて、ユーザ端末がファイル転送を行う際にファイル転送のセッション開設パケットに専用線サービスユーザの認証情報を付加して送出し、プロバイダネットワーク内に設けられたエッジルータが認証情報を基に専用線サービスユーザと判断した時にユーザ端末間を結ぶ専用線を開設することによって、ユーザに対して実際に広帯域を使用したい瞬間だけ短時間の専用線サービスを実現することができるという効果が得られる。
【図面の簡単な説明】
【図１】本発明の第１の実施例による専用線サービス提供システムの構成を示すブロック図である。
【図２】本発明の第１の実施例による専用線サービス提供システムにおける専用線開設の動作を示すフローチャートである。
【図３】本発明の第１の実施例による専用線サービス提供システムにおける専用線開設の動作を示すフローチャートである。
【図４】本発明の第１の実施例による専用線サービス提供システムにおける専用線開設の動作を示すフローチャートである。
【図５】本発明の第１の実施例による専用線サービス提供システムにおける専用線解放の動作を示す図である。
【図６】本発明の第２の実施例による専用線サービス提供システムの構成を示すブロック図である。
【図７】本発明の第３の実施例による専用線サービス提供システムの構成を示すブロック図である。
【図８】本発明の第４の実施例による専用線サービス提供システムの構成を示すブロック図である。
【図９】従来例による専用線サービス提供システムの構成を示すブロック図である。
【図１０】パス設定プロトコルとしてＲＳＶＰを用いたパス設定の動作を示す図である。
【符号の説明】
１，１ａ，１ｂ  プロバイダネットワーク
２，３  ユーザネットワーク
４，４ａ，４ｂ  認証サーバ
５，５ａ，５ｂ  パス設定サーバ
６，６ａ，６ｂ  課金サーバ
１１，１１ａ，
１１ｂ，１２  エッジノード
１３  コアノード
２１，３１  ユーザ装置
【図１】
2004228817.tif 000003
【図２】
2004228817.tif 000004
【図３】
2004228817.tif 000005
【図４】
2004228817.tif 000006
【図５】
2004228817.tif 000007
【図６】
2004228817.tif 000008
【図７】
2004228817.tif 000009
【図８】
2004228817.tif 000010
【図９】
2004228817.tif 000011
【図１０】
2004228817.tif 000012